(57)【特許請求の範囲】
【請求項１】
前後の側面板２２・２４と左右の側面板２１・２３と糊代片２５と上面板群２６・２６・２６・２６と底面板群２７・２７・２７・２７とを、それぞれ折り目線を介して適宜に連設した、通常の直方体状の段ボール箱２０内に、縦に２分割した後胴枠板３４と左胴枠板３１と前胴枠板３２と右胴枠板３３と縦に２分割した後胴枠板３４とを、それぞれ折り目線を介して順に連設した、直方体筒状の段ボール製の補強胴枠３０を、前胴枠保持盤４２に対して、左右の胴枠保持盤４１・４３が左右方向に回転動して、この左右の胴枠保持盤４１・４３に対して、縦に２分割した後胴枠保持盤４４・４４が前後方向に回転動する補強胴枠保持装置４０を用いて、
▲１▼この補強胴枠保持装置４０に補強胴枠３０を巻付けて吸着するなどして、段ボール製の補強胴枠３０を直方体筒状に保持して、▲２▼こ補強胴枠保持装置４０の縦に２分割した後胴枠保持盤４４・４４を前方向に回転動して、また左右の胴枠保持盤４１・４３を閉じるように右左方向に回転動して、一旦段ボール製の補強胴枠３０をほゞ三角筒状に保持した状態で、通常の直方体状の段ボール箱２０内に挿入して、▲３▼補強胴枠保持装置４０の左右の胴枠保持盤４１・４３を開くように左右方向に回転動して、また縦に２分割した後胴枠保持盤４４・４４を後方向に回転動して、再び段ボール製の補強胴枠３０を直方体筒状に保持することによって、
通常の直方体状の段ボール箱２０内に、直方体筒状の段ボール製の補強胴枠３０を、隙間なく挿入して、この段ボール箱２０の後側面板２４に、補強胴枠３０の縦に２分割した後胴枠板３４・３４を、重ならないように貼着することを特徴とする補強胴枠付き段ボール箱の製箱方法。
【請求項２】
前記の補強胴枠保持装置４０の、少なくとも縦に２分割した後胴枠保持盤４４・４４に減圧吸着孔を設けて、この後胴枠保持盤４４・４４に、補強胴枠３０の縦に２分割した後胴枠板３４・３４を吸着して、段ボール製の補強胴枠３０を直方体筒状に保持することを特徴とする、請求項１に記載の補強胴枠付き段ボール箱の製箱方法。
【請求項３】
前記の段ボール製の補強胴枠３０を直方体筒状に保持した状態で、この補強胴枠３０の、少なくとも縦に２分割した後胴枠板３４・３４に接着剤を塗布して、一旦段ボール製の補強胴枠３０をほゞ三角筒状に保持した状態で、通常の直方体状の段ボール箱２０内に挿入して、再び段ボール製の補強胴枠３０を直方体筒状に保持することによって、通常の直方体状の段ボール箱２０の後側面板２４に、補強胴枠３０の縦に２分割した後胴枠板３４・３４を、重ならないように貼着することを特徴とする、請求項１又は請求項２に記載の補強胴枠付き段ボール箱の製箱方法。
【発明の詳細な説明】
【０００１】
【発明の属する技術分野】
本発明は、大容量のバッグインボックス用などの、通常の直方体状の段ボール箱２０内に、直方体筒状の段ボール製の補強胴枠３０を、機械的に隙間なく挿入して貼着する補強胴枠付き段ボール箱の製箱方法に関する。
【０００２】
【従来の技術】
従来から、主に液体状の内容物を収容した柔軟性を有する樹脂フィルム製などの袋体（バッグ）を、剛性を有する段ボール製や板紙製などの箱体内（インボックス）に収容した、各種のバッグインボックスが広く用いられているものであって、特に１０リットル以上の、大容量のバッグインボックス用の剛性を有する箱体としては、図４に示すような、通常の直方体状の段ボール箱２０内に、直方体筒状の段ボール製の補強胴枠３０を、隙間なく挿入して貼着して、積重ね強度などを強化した補強胴枠付き段ボール箱が用いられている。
【０００３】
また従来から、家電製品や機械部品や食料品などの、重量がある内容物を収容する梱包箱として、同様に図４に示すような、通常の直方体状の段ボール箱２０内に、直方体筒状の段ボール製の補強胴枠３０を、隙間なく挿入して貼着して、積重ね強度などを強化した補強胴枠付き段ボール箱が広く用いられている。
【０００４】
【発明が解決しようとする課題】
ところが従来の、図４に示す補強胴枠付き段ボール箱については、段ボール箱２０内に補強胴枠３０を隙間なく挿入して貼着することによって、積重ね強度などを効果的に強化できるものの、通常の直方体状の段ボール箱２０内に、それぞれの左右幅がほゞ同一の、直方体筒状の段ボール製の補強胴枠３０を、機械的に隙間なく挿入することが困難であって、やむを得ず手作業などで隙間なく挿入するために、段ボール箱２０内に補強胴枠３０を隙間なく挿入して貼着する工程で、手間がかかることが問題であった。
【０００５】
ところで、本発明の目的は、大容量のバッグインボックス用などの、通常の直方体状の段ボール箱２０内に、直方体筒状の段ボール製の補強胴枠３０を、機械的に、手間をかけずに隙間なく挿入して貼着して、積重ね強度などを強化した補強胴枠付き段ボール箱の製箱方法を提供することにある。
【０００６】
【課題を解決するための手段】
本発明の補強胴枠付き段ボール箱の製箱方法は、図１Ａに示す前後の側面板２２・２４と左右の側面板２１・２３と糊代片２５と上面板群２６・２６・２６・２６と底面板群２７・２７・２７・２７とを、それぞれ折り目線（符号がない１点鎖線；以下同じ）を介して適宜に連設した、通常の直方体状の段ボール箱２０内に、図１Ｂに示す縦に２分割した後胴枠板３４と左胴枠板３１と前胴枠板３２と右胴枠板３３と縦に２分割した後胴枠板３４とを、それぞれ折り目線を介して順に連設した、直方体筒状の段ボール製の補強胴枠３０を、前胴枠保持盤４２に対して、左右の胴枠保持盤４１・４３が左右方向に回転動して、この左右の胴枠保持盤４１・４３に対して、縦に２分割した後胴枠保持盤４４・４４が前後方向に回転動する、図２Ｂ・図２Ｃに示す補強胴枠保持装置４０を用いて、
▲１▼この補強胴枠保持装置４０に補強胴枠３０を巻付けて吸着するなどして、図３Ａに示すように、段ボール製の補強胴枠３０を直方体筒状に保持して、▲２▼補強胴枠保持装置４０の縦に２分割した後胴枠保持盤４４・４４を前方向に回転動して、また左右の胴枠保持盤４１・４３を閉じるように右左方向に回転動して、図３Ｂに示すように、一旦段ボール製の補強胴枠３０をほゞ三角筒状に保持した状態で、通常の直方体状の段ボール箱２０内に挿入して（又は下方を開放した通常の直方体状に製箱した段ボール箱２０を被せて）、▲３▼補強胴枠保持装置４０の左右の胴枠保持盤４１・４３を開くように左右方向に回転動して、また縦に２分割した後胴枠保持盤４４・４４を後方向に回転動して、図３Ｃに示すように、再び段ボール製の補強胴枠３０を直方体筒状に保持することによって、
通常の直方体状の段ボール箱２０内に、直方体筒状の段ボール製の補強胴枠３０を、隙間なく挿入して、この段ボール箱２０の後側面板２４に、補強胴枠３０の縦に２分割した後胴枠板３４・３４を、重ならないように貼着する補強胴枠付き段ボール箱の製箱方法である。
【０００７】
また、本発明の補強胴枠付き段ボール箱の製箱方法は、前記の補強胴枠保持装置４０の、少なくとも縦に２分割した後胴枠保持盤４４・４４に図示しない減圧吸着孔を設けて、この後胴枠保持盤４４・４４に、補強胴枠３０の縦に２分割した後胴枠板３４・３４を吸着して、図３Ａに示すように、段ボール製の補強胴枠３０を直方体筒状に保持する補強胴枠付き段ボール箱の製箱方法である。
【０００８】
さらに、本発明の補強胴枠付き段ボール箱の製箱方法は、前記の段ボール製の補強胴枠３０を直方体筒状に保持した状態で、この補強胴枠３０の、少なくとも縦に２分割した後胴枠板３４・３４に接着剤を塗布して、一旦段ボール製の補強胴枠３０をほゞ三角筒状に保持した状態で、通常の直方体状の段ボール箱２０内に挿入して、図３Ｃに示すように、再び段ボール製の補強胴枠３０を直方体筒状に保持することによって、通常の直方体状の段ボール箱２０の後側面板２４に、補強胴枠３０の縦に２分割した後胴枠板３４・３４を、重ならないように貼着する補強胴枠付き段ボール箱の製箱方法である。
【０００９】
【作用】
本発明の補強胴枠付き段ボール箱の製箱方法においては、通常の直方体状の段ボール箱２０内に、直方体筒状の段ボール製の補強胴枠３０を、前胴枠保持盤４２に対して、左右の胴枠保持盤４１・４３が左右方向に回転動して、この左右の胴枠保持盤４１・４３に対して、縦に２分割した後胴枠保持盤４４・４４が前後方向に回転動する補強胴枠保
持装置４０を用いて、
▲１▼この補強胴枠保持装置４０に補強胴枠３０を巻付けて吸着するなどして、段ボール製の補強胴枠３０を直方体筒状に保持して、▲２▼補強胴枠保持装置４０の縦に２分割した後胴枠保持盤４４・４４を前方向に回転動して、また左右の胴枠保持盤４１・４３を閉じるように右左方向に回転動して、一旦段ボール製の補強胴枠３０をほゞ三角筒状に保持した状態で、通常の直方体状の段ボール箱２０内に挿入して、▲３▼補強胴枠保持装置４０の左右の胴枠保持盤４１・４３を開くように左右方向に回転動して、また縦に２分割した後胴枠保持盤４４・４４を後方向に回転動して、再び段ボール製の補強胴枠３０を直方体筒状に保持することによって、
通常の直方体状の段ボール箱２０内に、直方体筒状の段ボール製の補強胴枠３０を、機械的に、手間をかけずに隙間なく挿入して、この段ボール箱２０の後側面板２４に、補強胴枠３０の縦に２分割した後胴枠板３４・３４を、重ならないように貼着できる、積重ね強度などを強化した補強胴枠付き段ボール箱の製箱方法を提供することができる。
【００１０】
すなわち、一旦段ボール製の補強胴枠３０をほゞ三角筒状に保持することによって、段ボール箱２０の前側面板２２と補強胴枠３０の前胴枠板３２との左右幅がほゞ同一であっても、また段ボール箱２０の左右の側面板２１・２３と補強胴枠３０の左右の胴枠板３１・３３との左右幅がほゞ同一であっても、図３Ｂに示すように、前側面板２２と前胴枠板３２とを傾斜させて、また左右の側面板２１・２３と左右の胴枠板３１・３３とを傾斜させて、機械的に挿入できるものであって、再び段ボール製の補強胴枠３０を直方体筒状に保持することによって、通常の直方体状の段ボール箱２０内に、直方体筒状の段ボール製の補強胴枠３０を、手間をかけずに隙間なく貼着できるものである。
【００１１】
また、本発明の補強胴枠付き段ボール箱の製箱方法においては、前記の補強胴枠保持装置４０の、少なくとも縦に２分割した後胴枠保持盤４４・４４に減圧吸着孔を設けたことによって、この後胴枠保持盤４４・４４に、補強胴枠３０の縦に２分割した後胴枠板３４・３４を吸着して、確実に段ボール製の補強胴枠３０を直方体筒状に保持できる、補強胴枠付き段ボール箱の製箱方法を提供することができる。
【００１２】
さらに、本発明の補強胴枠付き段ボール箱の製箱方法においては、前記の段ボール製の補強胴枠３０を直方体筒状に保持した状態で、この補強胴枠３０の、少なくとも縦に２分割した後胴枠板３４・３４に接着剤を塗布して、一旦段ボール製の補強胴枠３０をほゞ三角筒状に保持した状態で、通常の直方体状の段ボール箱２０内に挿入して、再び段ボール製の補強胴枠３０を直方体筒状に保持することによって、通常の直方体状の段ボール箱２０の後側面板２４に、補強胴枠３０の縦に２分割した後胴枠板３４・３４を、重ならないように貼着できる補強胴枠付き段ボール箱の製箱方法を提供することができる。
【００１３】
【発明の実施の形態】
本発明の補強胴枠付き段ボール箱の製箱方法については、後述する実施例などに示す段ボール箱２０に替えて、美麗な印刷が可能で体裁などが優れた板紙製の、重量がある内容物を収容する直方体状の梱包箱内に、前胴枠保持盤４２に対して、左右の胴枠保持盤４１・４３が左右方向に回転動して、この左右の胴枠保持盤４１・４３に対して、縦に２分割した後胴枠保持盤４４・４４が前後方向に回転動する補強胴枠保持装置４０を用いて、同様に直方体筒状の段ボール製の補強胴枠３０を、機械的に、手間をかけずに隙間なく挿入して貼着して、積重ね強度などを強化した補強胴枠付きの梱包箱を得ることができる。
【００１４】
【実施例】
図１Ａ・図１Ｂは、実施例の補強胴枠付き段ボール箱における、通常の直方体状の段ボール箱２０と直方体筒状の段ボール製の補強胴枠３０とのブランクの平面図である。
【００１５】
すなわち、前後の側面板２２・２４と左右の側面板２１・２３と糊代片２５と上面板群２６・２６・２６・２６と底面板群２７・２７・２７・２７とを、それぞれ折り目線を介して適宜に連設した、図１Ａに示す段ボール箱２０のブランクであって、また縦に２分割した後胴枠板３４と左胴枠板３１と前胴枠板３２と右胴枠板３３と縦に２分割した後胴枠板３４とを、それぞれ折り目線を介して順に連設した、図１Ｂに示す補強胴枠３０のブランクであって、通常の印刷をした段の高さが３.６ｍｍのＣ段ボール紙を用いて、打抜型を用いた通常の打抜工程で、縦・横・高さが２４×３２×４０ｃｍの、重量がある家電製品を収容する補強胴枠付き段ボール箱における、通常の直方体状の段ボール箱２０と直方体筒状の段ボール製の補強胴枠３０とのブランクを作製した。
【００１６】
次に、図１Ａに示す段ボール箱２０のブランクと図１Ｂに示す補強胴枠３０のブランクとの、全ての符号がない折り目線を山折り（印刷をした表面側が山になる；以下同じ）して、通常の段ボール箱の製箱工程で、図１Ａに示す段ボール箱２０のブランクを、左側面板２１の左端部に糊代片２５を貼着して、また上面板群２６・２６・２６・２６をそれぞれ貼着するなどして、下方を開放した通常の直方体状に製箱した。
【００１７】
図２Ａは、実施例の補強胴枠付き段ボール箱の製箱方法における、補強胴枠保持装置４０の斜視図であって、また図２Ｂ・図２Ｃは、補強胴枠保持装置４０の動作を示す断面図である。
また図３Ａ・図３Ｂ・図３Ｃは、実施例の補強胴枠付き段ボール箱の製箱方法における、段ボール箱２０内に補強胴枠３０を隙間なく挿入して貼着する工程を示す断面図である。
さらに図４は、実施例の補強胴枠付き段ボール箱における、段ボール箱２０内に補強胴枠３０を隙間なく挿入して貼着した状態を示す斜視図である。
【００１８】
すなわち、前胴枠保持盤４２に対して、左右の胴枠保持盤４１・４３が（前胴枠保持盤４２の左右端を支点にして）左右方向に回転動して、この左右の胴枠保持盤４１・４３に対して、図示しない減圧吸着孔を設けた縦に２分割した後胴枠保持盤４４・４４が（左右の胴枠保持盤４１・４３の後端を支点にして）前後方向に回転動する、図２Ｂ・図２Ｃに示す補強胴枠保持装置４０を用いて、
▲１▼この補強胴枠保持装置４０に補強胴枠３０を巻付けて、補強胴枠保持装置４０の後胴枠保持盤４４・４４に、補強胴枠３０の縦に２分割した後胴枠板３４・３４を吸着して、図３Ａに示すように、段ボール製の補強胴枠３０を直方体筒状に保持した後に、この後胴枠板３４・３４に接着剤を塗布して、▲２▼補強胴枠保持装置４０の縦に２分割した後胴枠保持盤４４・４４を前方向に回転動して、また左右の胴枠保持盤４１・４３を閉じるように右左方向に回転動して、図３Ｂに示すように、一旦段ボール製の補強胴枠３０をほゞ三角筒状に保持した状態で、下方を開放した通常の直方体状に製箱した段ボール箱２０を被せて、▲３▼補強胴枠保持装置４０の左右の胴枠保持盤４１・４３を開くように左右方向に回転動して、また縦に２分割した後胴枠保持盤４４・４４を後方向に回転動して、図３Ｃに示すように、再び段ボール製の補強胴枠３０を直方体筒状に保持することによって、
図４に示すように、通常の直方体状の段ボール箱２０内に、直方体筒状の段ボール製の補強胴枠３０を、機械的に、手間をかけずに隙間なく挿入して、この段ボール箱２０の後側面板２４に、補強胴枠３０の縦に２分割した後胴枠板３４・３４を、重ならないように貼着して、重量がある家電製品を収容する、積重ね強度などを強化した補強胴枠付き段ボール箱が得られた。
【００１９】
すなわち、本実施例の補強胴枠付き段ボール箱の製箱方法においては、一旦段ボール製の補強胴枠３０をほゞ三角筒状に保持することによって、図３Ｂに示すように、左右幅がほゞ同一の段ボール箱２０の前側面板２２と補強胴枠３０の前胴枠板３２とを傾斜させて、また左右幅がほゞ同一の段ボール箱２０の左右の側面板２１・２３と補強胴枠３０の左右の胴枠板３１・３３とを傾斜させて、機械的に、通常の直方体状の段ボール箱２０内に挿入できるものであって、再び段ボール製の補強胴枠３０を直方体筒状に保持することによって、手間をかけずに隙間なく貼着できるものであった。
【００２０】
【発明の効果】
以上、作用及び実施例に示すとおり、本発明の補強胴枠付き段ボール箱の製箱方法においては、通常の直方体状の段ボール箱内に、直方体筒状の段ボール製の補強胴枠を、前胴枠保持盤に対して、左右の胴枠保持盤が左右方向に回転動して、この左右の胴枠保持盤に対して、縦に２分割した後胴枠保持盤が前後方向に回転動する補強胴枠保持装置を用いて、▲１▼この補強胴枠保持装置に補強胴枠を巻付けて吸着するなどして、段ボール製の補強胴枠を直方体筒状に保持して、▲２▼一旦段ボール製の補強胴枠をほゞ三角筒状に保持した状態で、通常の直方体状の段ボール箱内に挿入して（又は下方を開放した通常の直方体状に製箱した段ボール箱を被せて）、▲３▼再び段ボール製の補強胴枠を直方体筒状に保持することによって、通常の直方体状の段ボール箱内に、直方体筒状の段ボール製の補強胴枠を、機械的に、手間をかけずに隙間なく挿入して、この段ボール箱の後側面板に、補強胴枠の縦に２分割した後胴枠板を、重ならないように貼着できる、積重ね強度などを強化した補強胴枠付き段ボール箱の製箱方法を提供することができる。
【図面の簡単な説明】
【図１】実施例の補強胴枠付き段ボール箱における、通常の直方体状の段ボール箱２０と直方体筒状の段ボール製の補強胴枠３０とのブランクの平面図である。
【図２】実施例の補強胴枠付き段ボール箱の製箱方法における、図２Ａは、補強胴枠保持装置４０の斜視図であって、また図２Ｂ・図２Ｃは、補強胴枠保持装置４０の動作を示す断面図である。
【図３】実施例の補強胴枠付き段ボール箱の製箱方法における、段ボール箱２０内に補強胴枠３０を隙間なく挿入して貼着する工程を示す断面図である。
【図４】実施例の補強胴枠付き段ボール箱における、段ボール箱２０内に補強胴枠３０を隙間なく挿入して貼着した状態を示す斜視図である。
【符号の説明】
２０        …段ボール箱
２１・２３  …左右の側面板
２２        …前側面板
２４        …後側面板
２５        …糊代片
２６        …上面板群
２７        …底面板群
３０        …補強胴枠
３１・３３  …左右の胴枠板
３２        …前胴枠板
３４        …後胴枠板
４０        …補強胴枠保持装置
４１・４３  …左右の胴枠保持盤
４２        …前胴枠保持盤
４４        …後胴枠保持盤
【図１】
0003837795.tif 000002
【図２】
0003837795.tif 000003
【図３】
0003837795.tif 000004
【図４】
0003837795.tif 000005